(57)【要約】縦折り線を介し糊代片、後面板、左側面板、前面板、右側面板の順に連設し、この上下端に横折り線を介し上下フラップを連設し、後面板及び前面板の下部に横折り線を介し下台形フラップ及び上板フラップを連設し、横折り線上の中央をコの字形に切り込み、上板フラップに凸爪を設ける。また左側面板及び右側面板に横折り線を介し下蓋、下支え台形板、下押さえ板を連設し、下蓋の側縁に縦折り線を介し袖を連設する。後面板及び前面板の上部に横折り線を介し上蓋、上押さえ台形板、上押さえ板を連設し、上蓋の側縁に縦折り目線を介し袖を連設する。左側面板及び右側面板の上部に横折り線を介し上台形フラップ及び下板フラップを連設し、横折り目線上の中央をコの字形に切り込み、下板フラップに凸爪を設ける。【選択図】        図１
0003120976.tif 000002
【実用新案登録請求の範囲】
【請求項１】
段ボールなどを素材としてなる緩衝用の宙吊り中仕切りを備えたサイド貼り包装箱（Ａ）において、
縦折り目線縦折り目線（１．２．３．４）を介して糊代片（ａ）、後面板（ｂ）、左側面板（ｃ）、前面板（ｄ）、右側面板（ｅ）の順に連設する。
前記後面板（ｂ）及び前面板（ｄ）の下部に横折り目線（５．９．７．１０）を介し、下台形フラップ（ｆ．ｇ）および上板フラップ（ｈ．ｉ）をそれぞれ連設する。
前記横折り目線（９．１０）上の中央にコの字形の切り込みを設け、前記上板フラップ（ｈ．ｉ）に凸爪（イ．ロ）を設ける。
前記後面板（ｂ）および前面板（ｄ）の上部に横折り目線（１１．１５．１６．１３．１７．１８）を介し、上蓋（ｊ．ｋ）、上押さえ台形板（ｒ．ｓ）、上押さえ板（ｖ．ｗ）をそれぞれ連設する。
前記上蓋（ｊ．ｋ）の側縁に縦折り目線（２３．２４．２５．２６）を介し、袖（ｊ’．ｊ”．ｋ’．ｋ”）をそれぞれ連設する。
前記左側面板（ｃ）および右側面板（ｅ）の下部に横折り目線（１２．１９．２０．１４．２１．２２）を介し、下蓋（ｌ．ｍ）、下支え台形板（ｔ．ｕ）、下押さえ板（ｘ．ｙ）をそれぞれ連設する。
前記下蓋（ｌ．ｍ）の側縁に縦折り目線（２７．２８．２９．３０）を介し、袖（ｌ’．ｌ”．ｍ’．ｍ”）をそれぞれ連設する。
前記左側面板（ｃ）および右側面板（ｅ）の上部に横折り目線（６．１１６．８．１１５）を介し、上台形フラップ（ｎ．ｐ）および下板フラップ（ｏ．ｑ）をそれぞれ連設する。
前記横折り目線（１１６．１１５)中央にコの字形の切り込みを設け、前記下板フラップ（ｏ．ｑ）に凸爪（ハ．ニ）を設ける。
以上からなる宙吊り中仕切りを備えたサイド貼り包装箱。
【請求項２】
箱の組み立て成形時に前記凸爪（イ．ロ）および前記凸爪（ハ．ニ）を輪ゴムなどの伸縮物により引っ掛け結束することを特徴とする請求項１記載の宙吊り中仕切りを備えたサイド貼り包装箱。
【考案の詳細な説明】
【技術分野】
【０００１】
本考案は基板などの搬送に用いられる、輸送中の落下等の衝撃を吸収する緩衝機能をもったサイド貼り包装箱に関するものである。
【背景技術】
【０００２】
従来、ハンモック包装は段ボールで構成される箱本体とフイルムの弾性シートを張り渡した下部水平支持板と上部水平支持板とが対向して被包装物を支持して、箱の壁から離した状態で保持する包装であった。
【考案の開示】
【考案が解決しようとする課題】
【０００３】
本考案の課題は、従来の段ボールの箱本体と弾性シートで構成されるハンモック包装は使用後にリサイクル処分する場合、段ボールの箱本体とフイルムの弾性シートを分離して処分する必要があり、大変な手間がかかる問題点があった。本考案は、従来の問題点を解決しようとするものであり、その目的とするところは、段ボールのみでハンモック包装を構成する、リサイクル処分の安易なサイド貼り包装箱を提供することにある。
【課題を解決するための手段】
【０００４】
前述された目的を達成する、本考案請求項１の宙吊り中仕切りを備えたサイド貼り包装箱（Ａ）は、縦折り目線縦折り目線（１．２．３．４）を介して糊代片（ａ）、後面板（ｂ）、左側面板（ｃ）、前面板（ｄ）、右側面板（ｅ）の順に連設し、該後面板（ｂ）、左側面板（ｃ）、前面板（ｄ）、右側面板（ｅ）の上下端に横折り目線（５．６．７．８．１１．１２．１３．１４）を介して上下フラップを連設した緩衝用の宙吊り中仕切りを備えたサイド貼り包装箱（Ａ）の緩衝構造で、前記後面板（ｂ）および前面板（ｄ）の下部に横折り目線（５．９．７．１０）を介して下台形フラップ（ｆ．ｇ）および上板フラップ（ｈ．ｉ）をそれぞれ連設し、前記横折り目線（９．１０）上の中央にコの字形の切り込みを設け、前記上板フラップ（ｈ．ｉ）に凸爪（イ．ロ）を設ける。また前記左側面板（ｃ）および右側面板（ｅ）に横折り目線（１２．１９．２０．１４．２１．２２）を介して下蓋（ｌ．ｍ）、下支え台形板（ｔ．ｕ）、下押さえ板（ｘ．ｙ）をそれぞれ連設し、前記下蓋（ｌ．ｍ）の側縁に縦折り目線（２７．２８．２９．３０）を介して袖（ｌ’．ｌ”．ｍ’．ｍ”）をそれぞれ連設する。前記後面板（ｂ）および前面板（ｄ）の上部に横折り目線（１１．１５．１６．１３．１７．１８）を介して上蓋（ｊ．ｋ）、上押さえ台形板（ｒ．ｓ）、上押さえ板（ｖ．ｗ）をそれぞれ連設し、前記上蓋（ｊ．ｋ）の側縁に縦折り目線（２３．２４．２５．２６）を介して袖（ｊ’．ｊ”．ｋ’．ｋ”）を連設する。前記左側面板（ｃ）および右側面板（ｅ）の上部に横折り目線（６．１１６．８．１１５）を介して上台形フラップ（ｎ．ｐ）および下板フラップ（ｏ，ｑ）を連設し、前記横折り目線（１１５．１１６）上の中央にコの字形の切り込みを設け、前記下板フラップ（ｏ．ｑ）に凸爪（ハ．ニ）を設ける。以上の構成により、段ボールのみでハンモック包装を可能とする構成となる。つぎに本考案請求項２は箱の組み立て成形時には前記凸爪（イ．ロ）および前記凸爪（ハ．ニ）を輪ゴムなどの伸縮物により引っ掛け結束する、収納物が四方壁面に掛かる衝撃度合いを輪ゴムの伸縮引っ張り力で吸収し、収納物が四方の台形フラップ（ｎ．ｐ．ｆ．ｇ）にあたる衝撃負担を小さくして段ボールの劣化を防ぐ。
【考案の効果】
【０００５】
このように組み立て包装された、収納物および宙吊り中仕切りを備えたサイド貼り包装箱（Ａ）は、前記凸爪（イ．ロ）および前記凸爪（ハ．ニ）を輪ゴムなどの伸縮物により引っ掛け結束する、収納物が四方壁面に掛かる衝撃度合いを輪ゴムの伸縮引っ張り力で吸収し、収納物が四方の台形フラップ（ｆ．ｎ．ｇ．ｐ）にあたる衝撃負担を小さくして、段ボールの劣化を防ぐことで四方上下からの緩衝効果を持たせ、リサイクル処分の安易なサイド貼り包装箱を提供することができる。
【考案を実施するための最良の形態】
【０００６】
本考案の実施の形態を図１．２．３．４．５．６．７．８．９．１０．１１．１２．１３．１４により説明する。上述の様な宙吊り中仕切りを備えたサイド貼り包装箱（Ａ）の箱の組み立ておよび収納物の包装要領の手順は、
最初に、図２により図示するように、サイド貼り包装箱（Ａ）の前記左側面板（ｃ）および右側面板（ｅ）の上部の横折り目線（６．８）から、連設される前記上台形フラップ（ｎ．ｐ）および前記下板フラップ（ｏ．ｑ）を１８０度箱の内側に折り返す。つぎに前記後面板（ｂ）および前面板（ｄ）の下部に横折り目線（５．７）から連設される下台形フラップ（ｆ．ｇ）および上板フラップ（ｈ．ｉ）を箱の内側に折り返す。つぎに、図３により図示するように縦折り目線（２）で前記後面板（ｂ）を１８０°内側に折り曲げた後に、糊代片（ａ）に接着剤を塗布して、前記右側面板（ｅ）を縦折り目線（４）で１８０度折り曲げ接着する。つぎに、図５．図６．図７により図示するように該状態のサイド貼り包装箱（Ａ）を底面側に反転し、下板フラップ（ｏ，ｑ）を横折り目線（１１６．１１５）より逆折りし，相互を重ね合わせ、下板フラップ（ｏ．ｑ）に連設された凸爪（ハ．ニ）を輪ゴムにより引っ掛け結束する。つぎに、図８により図示するように前記下蓋（ｌ．ｍ）の袖（l’．l”．ｍ’．ｍ”）を縦折り目線（２７．２８．２９．３０）から折り畳み、前記左側面板（ｃ）および右側面板（ｅ）の下部の横折り目線（１２．１９．２０．１４．２１．２２）を介して連設される下蓋（ｌ．ｍ）、下支え台形板（ｔ．ｕ）、下押さえ板（ｘ．ｙ）のそれぞれをコの字形に折り巻きながら、下蓋（ｌ．ｍ）を閉じ、前記下蓋（ｌ．ｍ）の中央に密封テープを貼る。
つぎに、図９．図１０により図示するように該状態のサイド貼り包装箱（Ａ）を天面側に反転させて、形成された下板フラップ（ｏ．ｐ）上に収納物を置く。つぎに、図１１．図１２.図１３により図示するように折り返されている前記上板フラップ（ｈ．ｉ）を横折り目線（９．１０）より逆折りして、上板フラップ（ｈ．ｉ）に連設された凸爪（イ．ロ）を輪ゴムにより引っ掛け結束する。最後に、図１４により図示するように上蓋（ｊ．ｋ）の袖（ｊ’．ｊ”．ｋ’．ｋ”）を縦折り目線（２３．２４．２５．２６）から折り畳み、前記後面板（ｂ）および前面板（ｄ）の上部の横折り目線（１１．１５．１６．１３．１７．１８）を介して連設される上蓋（ｊ．ｋ）、上押さえ台形板（ｒ．ｓ）、上押さえ板（ｖ．ｗ）のそれぞれをコの字形に折り巻きながら、上蓋（ｊ．ｋ）を閉じ、前記上蓋（ｊ．ｋ）の中央に密封テープを貼る。
【０００７】
なお、組み立て作業以前に、宙吊り中仕切りを備えたサイド貼り包装箱（Ａ）の糊代片（ａ）に接着剤を塗布して、前記右側面板（ｅ）を縦折り目線（４）で１８０度折り曲げ接着してもよい。
【図面の簡単な説明】
【０００８】
【図１】本考案の展開図
【図２】折りたたみ方手順１
【図３】折りたたみ方手順２
【図４】図３の写真
【図５】折りたたみ方手順３
【図６】折りたたみ方手順４
【図７】折りたたみ方手順５
【図８】折りたたみ方手順６
【図９】折りたたみ方手順７
【図１０】折りたたみ方手順８
【図１１】折りたたみ方手順９
【図１２】折りたたみ方手順１０
【図１３】折りたたみ方手順１１
【図１４】折りたたみ方手順１２
【符号の説明】
【０００９】
Ａ  サイド貼り包装箱
ａ  糊代片
ｂ  後面板
ｃ  左側面板
ｄ  前面板
ｅ  右側面板
ｆ  下台形フラップ
ｇ  下台形フラップ
ｈ  上板フラップ
ｉ  上板フラップ
ｊ  上蓋
ｊ’  袖
ｊ”  袖
ｋ  上蓋
ｋ’  袖
ｋ”  袖
ｌ  下蓋
ｌ’  袖
ｌ”  袖
ｍ  下蓋
ｍ’  袖
ｍ”  袖
ｎ  上台形フラップ
ｏ  下板フラップ
ｐ  上台形フラップ
ｑ  下板フラップ
ｒ  上押さえ台形板
ｓ  上押さえ台形板
ｔ  下支え台形板
ｕ  下支え台形板
ｖ  上押さえ板
ｗ  上押さえ板
ｘ  下押さえ板
ｙ  下押さえ板
１〜３０  折り目線
１１５．１１６  折り目線
イ  凸爪
ロ  凸爪
ハ  凸爪
ニ  凸爪
【図１】
0003120976.tif 000003
【図２】
0003120976.tif 000004
【図３】
0003120976.tif 000005
【図４】
0003120976.tif 000006
【図５】
0003120976.tif 000007
【図６】
0003120976.tif 000008
【図７】
0003120976.tif 000009
【図８】
0003120976.tif 000010
【図９】
0003120976.tif 000011
【図１０】
0003120976.tif 000012
【図１１】
0003120976.tif 000013
【図１２】
0003120976.tif 000014
【図１３】
0003120976.tif 000015
【図１４】
0003120976.tif 000016